(57)【要約】【課題】    本発明によれば、紙葉類束を構成する紙葉類の方向を整理しつつ、高速に紙葉類束の処理を行う紙葉類処理装置を提供することができる。【解決手段】  本発明は、紙葉類処理装置に関する。そして、紙葉類処理装置は、  紙葉類を積層して集積する紙葉類集積部を１又は複数備える手段と、少なくとも投入された紙葉類の方向を認識する手段と、認識処理された紙葉類について認識結果に応じた紙葉類集積部に搬送して積層する手段と、所定の結束枚数の紙葉類が集積された紙葉類集積部の紙葉類を結束して紙葉類束を生成する手段とを備え、紙葉類集積部で結束枚数の紙葉類が積層されたときに、少なくとも最下部の紙葉類と、最上部の紙葉類の方向が一致する状態となるように紙葉類を積層することを特徴とする。【選択図】      図１
2014235659.tif 000002
【特許請求の範囲】
【請求項１】
紙葉類を積層して集積する紙葉類集積部を１又は複数備える紙葉類集積手段と、少なくとも投入された紙葉類の方向を認識する紙葉類認識手段と、上記紙葉類認識手段で認識処理された紙葉類について上記紙葉類認識手段の認識結果に応じた上記紙葉類集積部に搬送して積層する紙葉類搬送手段と、所定の結束枚数の紙葉類が集積された上記紙葉類集積部の紙葉類を結束して紙葉類束を生成する紙葉類結束手段とを備える紙葉類処理装置において、
上記紙葉類搬送手段は、上記紙葉類集積部で上記結束枚数の紙葉類が積層されたときに、少なくとも最下部の紙葉類と、最上部の紙葉類の方向が一致する状態となるように紙葉類を積層する
ことを特徴とする紙葉類処理装置。
【請求項２】
上記紙葉類搬送手段は、あと一枚積層すると上記結束枚数に到達する上記紙葉類集積部が発生した状態で、上記紙葉類認識手段が新たに認識した紙葉類の方向が当該紙葉類集積部の最下部の紙葉類と一致しない場合には、他の上記紙葉類集積部に当該紙葉類を集積することを特徴とする請求項１に記載の紙葉類処理装置。
【請求項３】
あと一枚積層すると上記結束枚数に到達する上記紙葉類集積部が発生した状態で、上記紙葉類認識手段が新たに認識した紙葉類の方向が当該紙葉類集積部の最下部の紙葉類と一致しない場合に、オペレータに対して、当該最下部の紙葉類の方向と同じ方向で紙葉類を投入することを要求する出力を行う投入要求手段をさらに有することを特徴とする請求項２に記載の紙葉類処理装置。
【請求項４】
紙葉類を排出することができる紙葉類排出部をさらに備え、
上記紙葉類搬送手段は、あと一枚積層すると上記結束枚数に到達する上記紙葉類集積部が発生した状態で、上記紙葉類認識手段が新たに認識した紙葉類の方向が当該紙葉類集積部の最下部の紙葉類と一致しない場合には、上記紙葉類認識手段が新たに認識した紙葉類を上記紙葉類排出部に排出する
ことを特徴とする請求項３に記載の紙葉類処理装置。
【請求項５】
上記紙葉類認識手段で、上記紙葉類集積部の最下部の紙葉類と同じ方向の紙葉類が認識された場合に、当該紙葉類を一時的に退避部で保持する退避手段をさらに備え、
上記紙葉類搬送手段は、あと一枚積層すると上記結束枚数に到達する上記紙葉類集積部が発生した状態で、上記退避手段が保持している紙葉類を、当該紙葉類集積部に集積させる
ことを特徴とする請求項２に記載の紙葉類処理装置。
【請求項６】
上記紙葉類搬送手段の搬送路上で、紙葉類の表裏を反転させることができる表裏反転手段さらに備え、
上記表裏反転手段は、あと一枚積層すると上記結束枚数に到達する上記紙葉類集積部が発生した状態で、上記紙葉類認識手段が新たに認識した紙葉類と、当該紙葉類集積部の最下部の紙葉類とで、表裏を反転させるだけで方向が一致する場合、上記紙葉類認識手段が新たに認識した紙葉類の表裏を反転させ、
上記紙葉類搬送手段は、上記表裏反転手段が反転処理した紙葉類を上記紙葉類集積部に集積する
ことを特徴とする請求項２に記載の紙葉類処理装置。
【請求項７】
紙葉類を積層して集積する紙葉類集積部を１又は複数備える紙葉類集積手段と、少なくとも投入された紙葉類の方向を認識する紙葉類認識手段と、上記紙葉類認識手段で認識処理された紙葉類について上記紙葉類認識手段の認識結果に応じた上記紙葉類集積部に搬送して積層する紙葉類搬送手段と、所定の結束枚数の紙葉類が集積された上記紙葉類集積部の紙葉類を結束して紙葉類束を生成する紙葉類結束手段とを備える紙葉類処理装置の紙葉類処理方法において、
上記紙葉類搬送手段は、上記紙葉類集積部で上記結束枚数の紙葉類が積層されたときに、少なくとも最下部の紙葉類と、最上部の紙葉類の方向が一致する状態となるように紙葉類を積層する
ことを特徴とする紙葉類処理方法。
【発明の詳細な説明】
【技術分野】
【０００１】
本発明は紙葉類処理装置及び紙葉類処理方法に関し、例えば、紙幣を金種別などに分類して計数し、一定枚数毎に結束して整理する紙幣結束整理装置に適用し得るものである。
【背景技術】
【０００２】
金融機関の本支店や大型小売店等の１日に多くの紙幣を取り扱う店舗において、紙幣結束整理装置が導入され、精査時等に回収した紙幣を一定枚数毎に束ねて整理することが行われている。また、複数の本支店や小売店から紙幣を回収するセンタにおいて、紙幣結束整理装置が導入され、各店舗から回収した紙幣を一定枚数毎に束ねて整理することが行われている。
【０００３】
従来の紙幣結束整理装置としては、特許文献１の記載技術がある。従来の紙幣結束整理装置において、投入部にセットされた多数枚の紙幣は、１枚ずつ鑑別部に搬送されて、金種や、正券又は損券等の鑑別が実行され、オペレータによる予めの指定に基づいて、複数の一時集積部に分別されて集積される。そして、従来の紙幣結束整理装置では、一時集積部で集積枚数が所定枚数に達すると、その所定枚数の紙幣が紙テープ等の結束材により束ねられて放出される。なお、以下では、結束された後の紙幣を「紙幣束」と呼び、結束される前のそれぞれの紙幣を「結束対象紙幣」と呼ぶものとする。
【０００４】
また、特許文献１に記載された紙幣結束整理装置では、紙幣の傷みが激しく紙幣発行銀行に返却することが好ましい状態の紙幣（以下、「損券」と呼ぶ）と、損券と言えるほどの痛みではない紙幣（以下、「正券」と呼ぶ）とを鑑別し、正券のみを結束対象紙幣として取り扱っている。
【０００５】
さらに、従来の紙幣結束整理装置では、正券について、さらに細分化して痛みの程度に応じてランク分けするものが存在する。例えば、従来の紙幣結束整理装置では、ＡＴＭ／ＣＤなどに代表される自動入出金機での利用に耐え得る比較的程度の良い（痛みの少ない）紙幣をＡＴＭ券（ＡＴＭ−ＦＩＴ券）とし、それ以外の正券を流通券として取り扱うものがある。また、従来の紙幣結束整理装置では、紙幣の汚損状態、破損状態等の様々な検査項目（以下、単に「検査項目」とも呼ぶ）に基づいて鑑別を行っている。
【０００６】
さらにまた、従来の紙幣結束整理装置では、投入された紙幣の表裏を判定し、必要に応じて表裏反転部を用いて、搬送路上の紙幣の表裏を反転し、結束する束の紙幣の表裏を揃えることが可能なものが存在する。このように紙幣束の表裏を揃えることにより、紙幣束を大量に並べた場合の整理を容易にする等の効果を奏する。
【先行技術文献】
【特許文献】
【０００７】
【特許文献１】特開２０１１−１１３１５２号公報
【発明の概要】
【発明が解決しようとする課題】
【０００８】
しかしながら、従来の紙幣結束整理装置において、表裏反転部を用いて搬送路上の紙幣の表裏を反転させる場合には、処理時間が遅くなったり、紙幣の痛みの状態（例えば、コシの強さ）によっては表裏反転部内で紙幣のジャムが発生する場合等があった。紙幣結束整理装置では、短時間で大量の紙幣結束処理を行うことが求められるため、表裏反転部をできる限り用いない処理を行う方が、紙幣の高速処理には望ましい。また、紙幣束の整理を容易にするには、紙幣の表裏だけでなく、紙幣の天地もそろえることが望ましいが、従来の紙幣結束整理装置に備えられた表裏反転部では、通常天地の変更を行うことはできない。
【０００９】
上述のような問題に鑑みて、紙葉類束（例えば、紙幣束）を構成する紙葉類の方向を整理しつつ、より高速に紙葉類束の処理を行うことができる紙葉類処理装置及び紙葉類処理方法が望まれている。
【課題を解決するための手段】
【００１０】
第１の本発明は、紙葉類を積層して集積する紙葉類集積部を１又は複数備える紙葉類集積手段と、少なくとも投入された紙葉類の方向を認識する紙葉類認識手段と、上記紙葉類認識手段で認識処理された紙葉類について上記紙葉類認識手段の認識結果に応じた上記紙葉類集積部に搬送して積層する紙葉類搬送手段と、所定の結束枚数の紙葉類が集積された上記紙葉類集積部の紙葉類を結束して紙葉類束を生成する紙葉類結束手段とを備える紙葉類処理装置において、上記紙葉類搬送手段は、上記紙葉類集積部で上記結束枚数の紙葉類が積層されたときに、少なくとも最下部の紙葉類と、最上部の紙葉類の方向が一致する状態となるように紙葉類を積層することを特徴とする。
【００１１】
第２の本発明は、紙葉類を積層して集積する紙葉類集積部を１又は複数備える紙葉類集積手段と、少なくとも投入された紙葉類の方向を認識する紙葉類認識手段と、上記紙葉類認識手段で認識処理された紙葉類について上記紙葉類認識手段の認識結果に応じた上記紙葉類集積部に搬送して積層する紙葉類搬送手段と、所定の結束枚数の紙葉類が集積された上記紙葉類集積部の紙葉類を結束して紙葉類束を生成する紙葉類結束手段とを備える紙葉類処理装置の紙葉類処理方法において、上記紙葉類搬送手段は、上記紙葉類集積部で上記結束枚数の紙葉類が積層されたときに、少なくとも最下部の紙葉類と、最上部の紙葉類の方向が一致する状態となるように紙葉類を積層することを特徴とする。
【発明の効果】
【００１２】
本発明によれば、紙葉類束を構成する紙葉類の方向を整理しつつ、より高速に紙葉類束の処理を行う紙葉類処理装置を提供することができる。
【図面の簡単な説明】
【００１３】
【図１】第１の実施形態に係る紙幣結束整理装置の制御系の構成を示すブロック図である。
【図２】第１の実施形態に係る紙幣結束整理装置の内部構造を示す概略側面図（一方の側板を取り外して見た概略側面図）である。
【図３】第１の実施形態に係る紙幣結束整理装置の上部構造を拡大して示す拡大側面図である。
【図４】第１の実施形態に係る紙幣結束整理装置の外観を示す斜視図である。
【図５】第１の実施形態に係る紙幣結束整理装置における操作部を拡大して示す平面図である。
【図６】第１の実施形態に係る紙幣結束整理装置における集積機構の詳細を示す側面図である。
【図７】第１の実施形態に係る紙幣結束整理装置における紙幣結束機構の詳細を示す側面図である。
【図８】第１の実施形態に係る紙幣結束整理装置で記憶される一時集積部設定情報の内容例について示した説明図である。
【図９】第１の実施形態に係る紙幣結束整理装置で処理される紙幣の構成例について示した説明図である。
【図１０】第１の実施形態に係る紙幣結束整理装置で紙幣が投入される際の方向について示した説明図である。
【図１１】第１の実施形態に係る紙幣結束整理装置で一時集積部に紙幣が搬送されて集積される際の方向の例について示した説明図である。
【図１２】第１の実施形態に係る紙幣結束整理装置で一時集積部に集積される紙幣の整列状態の例について示した説明図である。
【図１３】第１の実施形態に係る紙幣結束整理装置（制御部）が設定情報の入力を受付ける場合の動作について示したフローチャートである。
【図１４】第１の実施形態に係る紙幣結束整理装置で表示される設定情報入力画面の内容例について示した説明図である。
【図１５】実施形態に係る紙幣結束整理装置で表示される集積モード選択画面の内容例について示した説明図である。
【図１６】第１の実施形態に係る紙幣結束整理装置（制御部）が、簡易整列集積モードで計数及び結束処理を行う場合の動作全体について示したフローチャートである。
【図１７】第１の実施形態に係る紙幣結束整理装置で表示される計数状況表示画面の構成例について示した説明図である。
【図１８】第１の実施形態に係る紙幣結束整理装置（制御部）が、簡易整列集積モードで行う紙幣処理の動作について示したフローチャートである。
【図１９】第１の実施形態に係る紙幣結束整理装置で表示される計数状況表示画面の遷移状態（その１）について示した説明図である。
【図２０】第１の実施形態に係る紙幣結束整理装置で表示される計数状況表示画面の遷移状態（その２）について示した説明図である。
【図２１】第１の実施形態に係る紙幣結束整理装置で表示される計数状況表示画面の遷移状態（その３）について示した説明図である。
【図２２】第１の実施形態に係る紙幣結束整理装置で表示される計数状況表示画面の遷移状態（その４）について示した説明図である。
【図２３】第１の実施形態に係る紙幣結束整理装置で表示される計数状況表示画面の遷移状態（その５）について示した説明図である。
【図２４】第１の実施形態に係る紙幣結束整理装置で記憶される一時集積部設定情報の遷移状態について示した説明図である。
【図２５】第１の実施形態に係る紙幣結束整理装置（制御部）が、４方向整列集積モードで行う紙幣処理の動作について示したフローチャートである。
【図２６】第２の実施形態に係る紙幣結束整理装置で表示される計数状況表示画面の遷移状態について示した説明図である。
【図２７】第２の実施形態に係る紙幣結束整理装置で表示される紙幣投入要求画面について示した説明図である。
【図２８】第２の実施形態に係る紙幣結束整理装置（制御部）が、簡易整列集積モードで行う紙幣処理の動作について示したフローチャートである。
【図２９】第３の実施形態に係る紙幣結束整理装置（制御部）が、簡易整列集積モードで行う紙幣処理の動作について示したフローチャート（その１）である。
【図３０】第３の実施形態に係る紙幣結束整理装置（制御部）が、簡易整列集積モードで行う紙幣処理の動作について示したフローチャート（その２）である。
【図３１】第４の実施形態に係る紙幣結束整理装置（制御部）が、簡易整列集積モードで行う紙幣処理の動作について示したフローチャートである。
【図３２】第５の実施形態に係る紙幣結束整理装置（制御部）が、簡易整列集積モードで行う紙幣処理の動作について示したフローチャートである。
【発明を実施するための形態】
【００１４】
（Ａ）第１の実施形態
以下、本発明による紙葉類処理装置及び紙幣処理方法を、紙幣結束整理装置に適用した第１の実施形態を、図面を参照しながら説明する。
【００１５】
（Ａ−１）第１の実施形態の構成
図２は、第１の実施形態に係る紙幣結束整理装置の内部構造を示す概略側面図（一方の側板を取り外して見た側面図）である。
【００１６】
図３は、図２における上部構造を拡大して示す拡大側面図である。図４は、この実施形態の紙幣結束整理装置の外観を示す斜視図である。図５は、図４における操作部７を拡大して示す平面図である。図２〜図５だけでなく後述する各図を含め、同一、対応部分には、同一、対応符号を付して示している。
【００１７】
この実施形態に係る紙幣結束整理装置１００の正面上部には、紙幣の投入部１が設けられている。鑑別部２は、装置内に設けられており、投入部１から投入された紙幣の真偽（真券、偽券）、金種、正損（正券、損券）、方向（表裏、天地）等の鑑別や計数を行うと共に、搬送異常の検出を行うものである。鑑別された紙幣を搬送する搬送路３の詳細については、後述する。
【００１８】
表裏反転部４は、鑑別部２の後段に位置するように設けられており、後述する制御部５０の制御下で、スイッチバック方式により紙幣の表裏反転を行うものである。
【００１９】
２つのオープンポケット５ａ、５ｂは、装置の上面に設けられており、後述する制御部５０の制御下で、紙幣（例えば、結束対象外の券種の紙幣）がこのオープンポケット５ａ、５ｂへ排出される。オープンポケット５ａ、５ｂに集積された紙幣は、オペレータが直接アクセスできるものとなっている。
【００２０】
リジェクトポケット８は、基本的に、鑑別部２でリジェクト紙幣と鑑別された紙幣を集積することに用いられるものである。この実施形態の場合、後述する制御部５０の制御下で、リジェクト紙幣のうち、上述したオープンポケット５ａ、５ｂや一時集積部６１への排出対象外のリジェクト紙幣がリジェクトポケット８に排出される。リジェクトポケット８は、例えば、投入部１の上方に設けられており、このリジェクトポケット８に集積された紙幣にオペレータが直接アクセスできるものとなっている。なお、リジェクトポケット８は、リジェクト紙幣以外の紙幣を集積することに用いるようにしてもよいことは当然である。リジェクトポケット８に排出可能な上限数は、あらかじめ設定された設定枚数（例えば、１９０枚）に定められている。これは、リジェクトポケット８から排出されたリジェクト紙幣が所定枚数を超えると、リジェクトポケット８から紙幣がこぼれて装置外に落ちる恐れがあるためである。例えば、リジェクトポケット８に集積された紙幣が設定枚数に達したときには、制御部５０は紙幣の投入を一時停止させ、リジェクトポケット８から紙幣の除去をオペレータに求めるメッセージを表示させるようにしてもよい。
【００２１】
操作部７は、投入部１の一側（図示のものは右側）に設けられている。この操作部７には、紙幣の計数を指示する計数開始ボタン７ａ、計数及び結束処理の完了を指示する完了ボタン７ｂ、装置の障害復旧時に装置を再稼働させるためのリセットボタン７ｃなどが設けられている。
【００２２】
操作表示部１３は、装置上面においてオープンポケット５ａの後方に位置するように設けられている。操作表示部１３は、液晶ディスプレイとその表面に配置されたタッチパネルによって構成されている。オペレータは、この操作表示部１３を操作して、モードの指定や、後述する一時集積部６１に集積する紙幣の金種等を設定できるようになされている。また、この操作表示部１３には、後述する制御部５０の制御下で、鑑別部２で鑑別された紙幣の金種、計数結果等が表示される。
【００２３】
この実施形態の場合、集積機構６には、上下方向に１列に５つの紙葉類集積部としての一時集積部６１（６１ａ〜６１ｅ）が並べられて装置内に設けられている。各一時集積部６１ａ〜６１ｅにはそれぞれ、後述する制御部５０の制御下で、予め定められた枚数（例えば１００枚）を上限とした指定種類の紙幣が集積できるようになっている。なお、一時集積部の数は５つに限定されるものではない。
【００２４】
移送機構９は、一時集積部６１ａ〜６１ｅの集積紙幣を紙幣結束機構１０に移送するものである。紙幣結束機構１０は、移送されてきた集積紙幣を紙テープ等の結束材により束ねるものである。移送機構９及び紙幣結束機構１０は、両者とも装置内に設けられている。移送機構９及び紙幣結束機構１０の詳細については後述する。放出口１１は、紙幣結束機構１０の結束により形成された紙幣束を放出させる開口である。放出口１１の上部の装置正面に設けられた扉１２は、開けることで、オペレータが集積機構６にアクセスできるものとなっている。
【００２５】
次に、搬送路３について詳述する。搬送路３は、ローラや搬送ベルトや通過を検知するセンサ、駆動モータ等からなっているが、以下では、紙幣の経路という面から搬送路３を説明する。搬送路３は、図３に示すように、大きくは５つの部分（以下、部分に対しても搬送路と呼ぶこととする）３ａ〜３ｅに分かれている。
【００２６】
搬送路３ａは、投入部１から鑑別部２を経て分岐点Ａに至る部分である。従って、投入された全ての紙幣が、搬送路３ａ上を搬送される。搬送路３ｂは、分岐点Ａからリジェクトポケット８に至る部分である。従って、鑑別結果が、リジェクトポケット８に集積させるリジェクト紙幣が、搬送路３ｂ上を搬送される。
【００２７】
搬送路３ｃは、分岐点Ａから分岐点Ｂに至る部分であり、その途中に表裏反転部４が設けられている。搬送路３ｃは、表裏反転部４を通過しないように紙幣を搬送することもできる。表裏反転部４は溝状のものであり、搬送されてきた紙幣（紙葉類）は、表裏反転部４に一端から挿入され、他端から引き出されることを通じて表裏がスイッチバック方式により反転される。投入された紙幣のうち、リジェクトポケット８に向かった紙幣以外の紙幣が、搬送路３ｃ上を搬送される。搬送路３ｃ上に導入された紙幣のうち、表裏反転が必要と鑑別されたものは、表裏反転部４を経由する。
【００２８】
搬送路３ｄは、分岐点Ｂから、最下段の一時集積部６１ｅに至る部分である（図２、図３参照）。鑑別部２によって、集積、結束対象と鑑別された紙幣が、搬送路３ｄ上を搬送され、その紙幣が集積されるべき一時集積部６１ａ〜６１ｅに搬送される。
【００２９】
搬送路３ｅは、分岐点Ｂから分岐点Ｃに至る部分である。そして、搬送路３ｆは、分岐点Ｃからオープンポケット５ａに至る部分である。また、搬送路３ｇは、分岐点Ｃからオープンポケット５ｂに至る部分である。
【００３０】
なお、搬送路３上の分岐点Ａ、Ｂ、Ｃのそれぞれの近傍には、紙幣の搬送方向を切替える図示しない切替えブレードが設けられ、後述する制御部５０の制御下で切り替えられる。
【００３１】
図６は、集積機構６の構成を図２より詳細に示す側面図である。集積機構６には、上述のように、５つの一時集積部６１ａ〜６１ｅが上下方向に並べて配置されている。これらの一時集積部６１ａ〜６１ｅは、同一の構造を有しているので、以下では、一時集積部６１ａを例にとって詳細を説明する。
【００３２】
搬送路３ｄにより搬送されてきた紙幣は、一時集積部６１ａの振り分けゲート２７により集積板２１に向かって取り込まれ、これにより一時集積部６１ａに進入した紙幣は羽根車２０により後部が叩かれて集積板２１の上に集積されるようになされている。以降進入してくる紙幣に関しても、同様の動作で集積板２１上に集積した紙幣の上に集積される。
【００３３】
一時集積部６１ａに進入した紙幣は、一時集積部６１ａの一側（例えば、図６紙面法線方向の手前側）に設けられた図示しない長手整位手段により、紙幣の長手方向の位置が揃えられ、更に一時集積部６１ａの後端側に設けられた図示しない短手整位手段により短手方向の位置が揃えられる。上述の長手整位機構は、紙幣を反対側に設置された基準面に押しつけることで整位するものとなっている。また、上述の短手整位機構は、集積された紙幣を進入口側に付勢することにより整位するものとなっている。
【００３４】
集積板２１上に紙幣が集積して行き、その集積数（後述するカウンタ５１ａ〜５１ｅの値）が設定枚数を越えると、集積板２１は自動的に下降して一時集積部６１ａの空間を広げ、この動作により皺や折り目等に起因する紙幣の状態によって集積高さが違っても安定して集積が行えるようになっている。集積板２１の上方には押さえ板２４が対向するように設けられ、この押さえ板２４は集積板２１上への紙幣の集積中は一時集積部６１ａの上端に待機しており、順次取り込まれる紙幣の進入の邪魔にならないようになっている。
【００３５】
一時集積部６１ａの集積板２１上に設定枚数の紙幣が集積されると、ゲート振り分け機構２７を紙幣を取り込まない姿勢に動作させ、所定枚数目以降の紙幣は、例えば、他の一時集積部６１ｂ〜６１ｅのいずれかへ集積するように制御される。
【００３６】
紙幣の進入が停止した一時集積部６１ａでは集積板２１を上昇させ、押さえ板２４を下降させることにより紙幣を挟持する。この動作により皺等の紙幣の状態によって集積高さの異なる紙幣の厚みを一定にし、移送機構９への受渡しを容易にするようになっている。集積板２１と押さえ板２４により挟持された紙幣は、移送機構９の紙幣クランプ部３０（図２参照）が短手整位機構２３側から一時集積部６１ａに進入して引き抜かれるようになっている。
【００３７】
移送機構９は、図２に示すように、紙幣クランプ部３０、クランプ部移動機構３１、上下動機構３２を備えている。移送機構９の構成を、動きを通して明らかにする。
【００３８】
一時集積部６１ａに集積された紙幣を引き抜く場合を例に、移送機構９の一連の動きを説明する。上下動機構３２により紙幣クランプ部３０をクランプ部移動機構３１と共に、一時集積部６１ａに係るポジションセンサの位置まで上昇させ、ポジションセンサがクランプ部移動機構３１を検知した位置で上昇を停止させると同時に、図示しない係止手段によりクランプ部移動機構３１を係止し、クランプ部移動機構３１を一時集積部６１ａと対応する位置に固定する。この状態でクランプ移動機構３１により紙幣クランプ部３０のクランプ爪３３ａ、３３ｂを上下方向に開いて集積紙幣をクランプする準備を行い、更にクランプ移動機構３１により紙幣クランプ部３０を一時集積部６１ａの方向に押し出す。押し出された紙幣クランプ機構３０のクランプ爪３３ａ、３３ｂは、一時集積部６１ａの短手整位機構２３側に設けられている開口部に挿入され、集積板２１と押さえ板２４により挟持されている紙幣を上下から挟みつけて把持する。次に、集積板２１と押さえ板２４を開くことで、両者による紙幣の挟持を解除すると、これにより１００枚の紙幣が紙幣クランプ部３０に渡されたことになるので、クランプ爪３３ａ、３３ｂで紙幣を把持した紙幣クランプ部３０をクランプ部移動機構３１により引き戻す。紙幣クランプ部３０が元の位置まで引き戻されると、クランプ部移動機構３１の係止が解除され、紙幣を把持した紙幣クランプ部３０と共にクランプ移動機構３１が上下動機構３２により移動経路の最下端に位置する紙幣結束機構１０まで移動し、紙幣クランプ部３０のクランプ爪３３ａ、３３ｂに把持された紙幣が紙幣結束機構１０に引き渡される。
【００３９】
紙幣結束機構１０は、図７の側面図に示すように、ローラ及びベルト等からなる搬送手段４０と、紙テープ等の結束用テープ４１と、印刷手段４２と、テープ４１を供給する供給手段４３と、テープ４１を所定の長さに切断するカッタ４４と、図示しない結束手段を有し、以下のように紙幣を結束する。
【００４０】
搬送手段４０が移送機構９の紙幣クランプ部３０から結束対象の紙幣を一括して受け取り、結束位置に搬送する。テープ供給手段４３は、テープ４１を結束手段に供給し、その際、印刷手段４２は、制御部５０の制御下で、テープ４１に結束する紙幣に係る情報等を印刷する。印刷されたテープ４１は、所定の長さにカッタ４４で切断され、この切断されたテープを結束手段が結束位置に搬送された紙幣に巻き掛けて結束することにより紙幣束を作る。このようにして作られた紙幣束は、更に搬送手段４０により搬送され、放出口１１に送られる。
【００４１】
投入部１にセットされた紙幣が全て投入され、最後の紙幣に対する処理（計数、集積）が終了したときに、一時集積部６１ａ〜６１ｅに結束されていない紙幣が残っていることが多い。このような残った端数の枚数については、上述した扉１２を開けることにより、オペレータが取り出し可能となっている。
【００４２】
次に、この実施形態に係る紙幣結束整理装置１００の制御系の構成について図１を用いて説明する。
【００４３】
図１において、制御部５０は、当該紙幣結束整理装置１００全体の動作制御を行うものである。制御部５０には、Ｉ／Ｏインタフェース回路５１を介して、投入部１の構成要素（モータ、ソレノイドなどの駆動要素や、センサ要素など；図１では「構成要素」の用語を省略している；以下の説明においても「構成要素」の用語を省略する）、鑑別部２、搬送路３、表裏反転部４、集積機構６、操作部７、移送機構９、紙幣結束機構１０、操作表示部１３、カウンタ５１ａ〜５１ｅなどが接続されている。
【００４４】
カウンタ５１ａ〜５１ｅはそれぞれ、一時集積部６１ａ〜６１ｅに１対１で対応しており、例えば、対応する一時集積部６１ａ〜６１ｅの所定位置に設けられているセンサが進入紙幣を検知する毎にカウントアップするものである。ここでは、カウンタ５１ａ〜５１ｅとしてハードウェアのカウンタを適用しているが、制御部５０がメモリ部５１を利用するソフトウェア的なカウンタを適用しても良い。
【００４５】
次に、制御部５０の内部構成及び鑑別部２の処理の詳細について説明する。
【００４６】
制御部５０は、図１に示すように、制御処理等に必要な各種情報を記憶するための記憶部５２有している。制御部５０は、例えば、プロセッサとメモリを有するコンピュータ（例えば、マイクロコンピュータ）に、実施形態の紙葉類処理プログラムをインストールすることにより構築することができ、その場合でも機能的には図１のように示すことができる。
【００４７】
図１に示すように、記憶部５２は、少なくとも一時集積部設定情報５２１を記憶している。
【００４８】
次に、一時集積部設定情報５２１の内容について図８を用いて説明する。
【００４９】
図８に示すように、一時集積部設定情報５２１は、紙幣の種類（金種及び券種の組みあわせ）及び、投入された紙幣の方向（以下、「紙幣方向」とも呼ぶ）の組合せごとの集積先（一時集積部６１ａ〜６１ｅ、オープンポケット５ａ、５ｂのいずれか）を示す情報である。図８に示すように、一時集積部設定情報５２１では、紙幣の種類は、金種及び券種の組み合わせに応じて決定している。
【００５０】
図８に示すように、一時集積部設定情報５２１では、各集積先は、集積先ごとに付与されたＩＤ（以下、「集積先ＩＤ」と呼ぶ）により表されている。集積先ＩＤは、一時集積部６１ａ〜６１ｅ、及びオープンポケット５ａ、５ｂに対して１〜７のＩＤが付与されている。例えば、一時集積部６１ａの集積先ＩＤは１、オープンポケット５ａの集積先ＩＤは６、オープンポケット５ｂの集積先ＩＤは７となる。そして、制御部５０は、鑑別部２により鑑別（分類）された紙幣について、一時集積部設定情報５２１に応じた集積先へ集積されるように、搬送路３等を制御する。
【００５１】
図８に示すように、一時集積部設定情報５２１では、各集積先は、集積先ごとに付与されたＩＤ（以下、「集積先ＩＤ」と呼ぶ）により表されている。集積先ＩＤは、一時集積部６１ａ〜６１ｅ、オープンポケット５ａ、５ｂに対して１〜７のＩＤが付与されている。例えば、一時集積部６１ａの集積先ＩＤは１、オープンポケット５ａの集積先ＩＤは６、オープンポケット５ｂの集積先ＩＤは７となる。そして、制御部５０は、鑑別部２により鑑別（分類）された紙幣について、一時集積部設定情報５２１に応じた集積先へ集積されるように、搬送路３等を制御する。
【００５２】
図８において、金種とは、紙幣の額面に応じて決まるものとしている。なお、この実施形態では、紙幣結束整理装置１００は、中華人民共和国（人民元）の７金種の紙幣（１００元紙幣、５０元紙幣、２０元紙幣、１０元紙幣、５元紙幣、２元紙幣、１元紙幣）について処理が可能であるものとする。また、図８において、券種とは、紙幣の属性を示すものとする。具体的には、紙幣の券種は、紙幣の真偽、紙幣の傷みの度合い等の項目に基づいて定められるものとする。この実施形態の鑑別部２では、紙幣の傷みの度合いに応じて、ＡＴＭ券、流通券、損券の３段階に判別（分類）されるものとする。そして、この実施形態の一時集積部設定情報５２１では、券種の項目に設定する内容としては、「無し」（紙幣の券種を限定しない）、「ＡＴＭ券」、「流通券」、「損券」、「ＡＴＭ＋流通」（ＡＴＭ券及び流通券）、「流通＋損」（流通券及び損券）、「真偽ＲＪ」（偽券としてリジェクトすべき紙幣）のいずれかが設定されるものとして説明する。なお、一時集積部設定情報５２１の券種の項目に設定する情報の種類、数、条件の組み合わせについては上述の例に限定されないものである。
【００５３】
ここで、本明細書における紙幣の方向の定義について図９、図１０を用いて説明する。以下では、「紙幣方向」とは、紙幣結束整理装置１００で、紙幣が取込（投入）、搬送、集積等される際の方向を指すものとする。以下では、紙幣の方向について図９のように、定義するものとする。図９は、紙幣Ｍの表面及び裏面の平面について示している。図９（ａ）は、紙幣Ｍを表面Ｍ１から見た場合の平面図である。また、図９（ｂ）は、紙幣Ｍを裏面Ｍ２から見た場合の平面図である。図９（ａ）に示すように、以下では、紙幣Ｍで人物の肖像が描かれている面（図９（ａ）では肖像を実線で描いている）を「表面」と呼ぶものとする。また、図９（ｂ）に示すように、以下では、紙幣Ｍで肖像が描かれていない面（図９（ｂ）では表面側の肖像を点線で描いている）を「裏面」と呼ぶものとする。さらに、図９（ａ）、図９（ｂ）に示すように、以下では、紙幣Ｍで肖像の頭頂部の方向の端（長手方向の端）を天側と呼び、他方の端を地側と呼ぶものとする。
【００５４】
なお、以下では、紙幣の方向とは、図９に示すように「表裏」と「天地」の組合せにより定まる物として説明するが表裏又は天地のいずれかのみで定まるようにしてもよい。例えば、紙幣方向を表裏のみとした場合には、表裏が一致した紙幣同士は天地が異なっていても同じ方向として取り扱うことになる。
【００５５】
そして、以下では、紙幣方向とは、紙幣が、投入口１で取り込まれる際の方向を基準として説明するものとする。図１０は、紙幣Ｍが、投入口１で取り込まれる際の紙幣方向（紙幣結束整理装置１００に取り込まれる際の紙幣方向）について示した説明図である。紙幣結束整理装置１００では、紙幣Ｍの長手方向のいずれかの端を前方とし、さらに、紙幣Ｍの表面又は裏面のいずれかを上方（上向）にして、取込、搬送、集積等が行われるものとする。図１０（ａ）〜（ｄ）は、それぞれ、投入口１で紙幣Ｍが取り込まれる際の紙幣方向を示している。図１０（ａ）では、投入口１で紙幣Ｍが取り込まれる際に上面が表面Ｍ１であり、取込まれる方向Ｅ１の前方が紙幣Ｍの天側となっている。また、図１０（ｂ）では、投入口１で紙幣Ｍが取り込まれる際に、上面が表面Ｍ１であり、取込まれる方向Ｅ１の前方が紙幣Ｍの地側となっている。さらに、図１０（ｃ）では、投入口１で紙幣Ｍが取り込まれる際に上面が裏面Ｍ２であり、取込まれる方向Ｅ１の前方が紙幣Ｍの天側となっている。さらにまた、図１０（ｄ）では、投入口１で紙幣Ｍが取り込まれる際に上面が裏面Ｍ２であり、取込まれる方向Ｅ１の前方が紙幣Ｍの地側となっている。なお、以下では、図１０（ａ）〜図１０（ｄ）の方向をそれぞれ方向Ａ（表正立）、方向Ｂ（表倒立）、方向Ｃ（裏正立）、方向Ｄ（裏倒立）と呼ぶものとする。
【００５６】
紙幣結束整理装置１００では、表裏反転が行われない限り、投入口１における紙幣方向と、一時集積部６１における紙幣方向は共通となる。例えば、図１１では、紙幣Ｍが、投入口１で、方向Ａ（表正立）の紙幣方向で投入され、一時集積部６１ａに集積された状態（ただし、表裏反転部４による表裏反転は行われていない）について示している。図１１に示すように、紙幣結束整理装置１００では、投入口１から方向Ａ（表正立）で取り込まれた場合、天側の端部（取り込まれる際の前方側の端部）を前方として搬送（搬送方向Ｅ２の方向に搬送）され、搬送路３ｄから一時集積部６１ａに突入する。また、図１１に示すように、紙幣結束整理装置１００では、投入口１から方向Ａ（表正立）で取り込まれた場合、表面を上面として、搬送路３ｄから一時集積部６１ａに突入して集積される。
【００５７】
以上のように、この実施形態の一時集積部設定情報５２１では、紙幣方向は、Ａ方向（表正立）、Ｂ方向（表倒立）、Ｃ方向（裏正立）、又はＤ方向（裏倒立）の４方向のいずれかで表記（図８参照）されるものとする。
【００５８】
次に、紙幣結束整理装置１００が行う紙幣の集積処理及び結束処理について説明する。
【００５９】
制御部５０は、オペレータの操作に応じて、一時集積部６１に紙幣を集積する際の複数の動作モード（以下、「集積モード」と呼ぶ）を変更可能であるものとする。第１の実施形態では、制御部５０は、３つの集積モードに対応しているものとする。
【００６０】
第１の実施形態では、制御部５０は、第１の集積モードとして、１つの一時集積部６１内で、紙幣方向（表裏及び天地）が完全に同一となるように整列（以下、「４方向整列」と呼ぶ）して集積する動作モード（以下、「４方向整列集積モード」と呼ぶ）に対応しているものとする。また、第１の実施形態では、制御部５０は、第２の集積モードとして、１つの一時集積部６１内で、１つの紙幣束の枚数（以下、「結束枚数」とも呼び、この実施形態では結束枚数＝１００枚であるものとする）の紙幣を集積する際に、少なくとも最も下部分に配置（積層）される紙幣（以下、「下部紙幣」と呼ぶ）と、最も上部分に配置（積層）される紙幣（以下、「上部紙幣」と呼ぶ）について紙幣方向が一致するように整列（以下、「簡易整列」と呼ぶ）する動作モード（以下、「簡易整列集積モード」と呼ぶ）に対応しているものとする。第１の実施形態では、制御部５０は、第３の集積モードとして、各一時集積部６１内に対して、特に紙幣の整列を考慮せずに集積（投入された紙幣方向のまま集積）する整列無集積モードに対応しているものとする。なお、この実施形態では、紙幣結束整理装置１００は、上述の３つの動作モードに対応するものとして説明するが、少なくとも、簡易整列集積モードに対応していれば良い。
【００６１】
図１２では、一時集積部６１に集積（積層）された結束枚数の紙幣（例えば、１００枚の紙幣）の整列状態（側面から見た場合の整列状態）について示した説明図である。図１２（ａ）、では、一時集積部６１に、４方向整列集積モードで、結束枚数の未結束紙幣束ＭＷが集積された状態（４方向整列された状態）について示している。また、図１２（ｂ）、では、一時集積部６１に、簡易整列集積モードで、結束枚数の未結束紙幣束ＭＷが集積された状態（簡易整列された状態）について示している。なお図１２では、未結束紙幣束ＭＷは、１枚の上部紙幣Ｍ−Ｕ、１枚の下部紙幣Ｍ−Ｄ、及び上部紙幣Ｍ−Ｕと下部紙幣Ｍ−Ｄとの間に挟まれた９８枚の中間紙幣Ｍ−Ｍにより構成されている。図１２では、各集積モードで同じ紙幣方向となることが保証されている紙幣については同一パターンのハッチを付して図示している。
【００６２】
図１２（ａ）に示す未結束紙幣束ＭＷは、４方向整列集積モードで集積されているので、全ての紙幣（上部紙幣Ｍ−Ｕ、下部紙幣Ｍ−Ｄ、及び中間紙幣Ｍ−Ｍ）について同じ紙幣方向となっている。また、図１２（ｂ）に示す、未結束紙幣束ＭＷは、簡易整列集積モードで集積されているので、上部紙幣Ｍ−Ｕと下部紙幣Ｍ−Ｄだけが同一の紙幣方向で、他の紙幣（中間紙幣Ｍ−Ｍ）については紙幣方向が任意（投入されたときの紙幣方向のまま）となっている。
【００６３】
以上のように、紙幣結束整理装置１００では、鑑別部２により、各紙幣の方向を認識する紙葉類認識手段が構成されている。また、紙幣結束整理装置１００では、集積機構６（一時集積部６１ａ〜６１ｅ）により、紙幣を積層して集積する紙葉類集積手段が構成されている。さらに、紙幣結束整理装置１００では、搬送路３及び制御部５０等により、鑑別部２の認識結果にしたがった一時集積部６１への紙幣の集積を行う紙葉類搬送手段が構成されている。さらにまた、紙幣結束整理装置１００では、移送機構９及び紙幣結束機構１０等により、紙幣を結束して紙幣束を生成する紙葉類結束手段が構成されている。
【００６４】
（Ａ−２）実施形態の動作
次に、以上のような構成を有するこの実施形態の紙幣結束整理装置１００の動作（実施形態の紙葉類処理方法）について説明する。
【００６５】
（Ａ−２−１）設定情報の入力処理
図１３は、オペレータから一時集積部設定情報５２１の内容を受け付ける際に、制御部５０が行う処理について示したフローチャートである。
【００６６】
まず、オペレータの操作表示部１３に対する操作（例えば、メニュー画面等の操作）に応じて、制御部５０が、オペレータから一時集積部設定情報５２１の内容を受けるための設定情報入力画面を操作表示部１３に表示したものとする（Ｓ１０１）。
【００６７】
図１４は、設定情報入力画面の構成例について示した説明図である。図１４に示す設定情報入力画面では、一時集積部６１ａ〜６１ｅに係る設定受付及び設定内容表示のためのフィールドＦ１１、オープンポケット５ａに係る設定受付及び設定内容表示のためのフィールドＦ１２、オープンポケット５ｂに係る設定受付及び設定内容表示のためのフィールドＦ１３、結束対象となる紙幣の金種に係る設定受付及び設定内容表示のためのフィールドＦ１４、結束対象となる紙幣の券種に係る設定受付及び設定内容表示のためのフィールドＦ１５、結束対象となる紙幣の集積モード（紙幣方向の設定）に係る設定受付及び設定内容表示のためのフィールドＦ１６が配置されている。
【００６８】
ここでは、まず、オペレータから、集積モード（紙幣方向に係る設定）を指定するためのフィールドＦ１６のボタンＢ１６が押下され、集積モードが選択されたものとする（Ｓ１０２）。設定情報入力画面において、集積モード（紙幣方向に係る設定）を指定するためのボタンＢ１６が押下されると、制御部５０は、オペレータに集積モードを選択させるための集積モード選択画面（図１５参照）をポップアップ表示する。図１５に示す集積モード選択画面では、４方向整列集積モード、簡易整列集積モード、整列無集積モードのそれぞれに対応するボタンＢ２０１〜Ｂ２０３が配置されている。ここでは、オペレータにより、「簡易整列集積モード」を指定するためのボタンＢ２０２が押下された後、確認ボタンＢ２０４が押下されたものとする。
【００６９】
次に、オペレータから、設定情報入力画面のフィールドＦ１４を構成するボタンＢ１４が押下され、制御部５０がポップアップ画面（図示せず）を表示して、結束処理の対象となる紙幣の金種として「５０元紙幣」の指定を受付けたものとする（Ｓ１０３）。
【００７０】
次に、オペレータから、設定情報入力画面のフィールドＦ１５を構成するボタンＢ１５が押下され、制御部５０が、ポップアップ画面（図示せず）を表示して、結束処理の対象となる紙幣の券種として「ＡＴＭ券」の指定を受付けたものとする（Ｓ１０４）。
【００７１】
次に、オペレータにより、設定情報入力画面の確認ボタンＢ１７が押下され、制御部５０により、一時集積部設定情報５２１の内容、及び一時集積部６１ａ〜６１ｅに係るフィールドＦ１１の内容が更新される（Ｓ１０５）。
【００７２】
以上のような処理により、紙幣結束整理装置１００では、一時集積部設定情報５２１の登録（更新）を受け付け、その内容は上述の図８のような内容となったものとする。
【００７３】
なお、第１の実施形態では、集積モードとして、４方向整列集積モード又は簡易整列集積モードが選択された場合、制御部５０は、集積対象の紙幣の種類（金種及び券種）を１つに限定し、初期設定として当該種類の紙幣を集積するための一時集積部６１を紙幣の方向ごとに割当てる。ここでは、４方向整列集積モード又は簡易整列集積モードが選択された場合、制御部５０は、初期設定として、図８に示すように、指定された種類の紙幣（５０元紙幣、ＡＴＭ券）について、４つの一時集積部６１ｂ〜６１ｅ（集積先ＩＤ：２〜５）を割当てるものとする。図８では、一時集積部６１ｂ〜６１ｅ（集積先ＩＤ：２〜５）に、それぞれ、Ｄ方向（裏倒立）、Ｃ方向（裏正立）、Ｂ方向（表倒立）及びＡ方向（表正立）が割当られている。
【００７４】
なお、この実施形態の紙幣結束整理装置１００において、一時集積部設定情報５２１の内容の登録を受け付ける具体的な処理（画面構成等）については限定されないものであり、種々のインタフェースを適用することができる。
【００７５】
（Ａ−２−２）計数及び結束処理
図１６は、紙幣結束整理装置１００において、簡易整列集積モードで、計数及び結束処理が行われる場合の動作について示したフローチャートである。
【００７６】
操作部７の計数開始ボタン７ａがオペレータによって押下されると（Ｓ２０１）、制御部５０は、計数及び結束処理を開始し、まず、各部の初期設定を行う（Ｓ２０２）。
【００７７】
制御部５０は、初期設定を完了すると、投入口１にセットされた紙幣について、計数及び結束処理の動作を開始する（Ｓ２０３）。なお、紙幣結束整理装置１００が計数処理中に、オペレータにより、投入口１に紙幣が追加されることもあり得る。
【００７８】
また、制御部５０は、計数処理を開始する際に、図１７に示す形式で、計数の状況を表示するための計数状況表示画面を表示する。なお、図１７に示す計数状況表示画面は、図８に示す一時集積部設定情報５２１に従った内容となっている。
【００７９】
計数状況表示画面では、図１７に示すようにフィールドＦ３２に、テーブル形式で、一時集積部６１ごとに、集積する金種及び紙幣方向（図１７の「施封」の項目）、現在集積している紙幣の枚数（図１７の「端数枚数」の項目）、及び結束（施封）した紙幣束の数（図１７の「把束数」の項目）が表示される。なお、図１７の「施封」の項目の１〜５の番号は、集積部ＩＤとなっている。したがって、図１７の例では、図８に示す一時集積部設定情報５２１に従って、一時集積部６１ａ〜６１ｅ（一時集積部ＩＤ：２〜５）に、それぞれ紙幣方向の異なる５０元紙幣が割り当てられていることを示している。
【００８０】
また、計数状況表示画面では、図１７に示すようにフィールドＦ３１に、テーブル形式で、オープンポケット５ａ、５ｂごとに、現在集積中の券種（図１７の「ポケット」の項目）、現在枚数（現在集積されている枚数）と設定枚数（各ポケットに集積する上限の枚数）が入力されている。なお、フィールドＦ３１の「ポケット」の項目において「１」は第１のオープンポケット５ａ、「２」は第２のオープンポケット５ｂ、「ＲＪ」はリジェクトポケット８をあらわしている。また、第１の実施形態では、図８、図１７に示すように、第１のオープンポケット５ａ、第２のオープンポケット５ｂ、及びリジェクトポケット８に対しては明示的に集積する紙幣の設定がされていないが、制御部５０は、４方向整列集積モード又は簡易整列集積モードで結束対象とならない紙幣については、リジェクトポケット８に集積するように制御を行うものとして説明する。さらに、計数状況表示画面では、図１７に示すようにフィールドＦ３３に、処理状況に係るメッセージ（例えば、「計数中」や現在の集積モード名称等のメッセージ）が表示される。
【００８１】
次に、制御部５０は、搬送路３を制御して投入口１にセットされた紙幣を１枚取り込んで鑑別部２に鑑別処理（分類処理）を実行させる（Ｓ２０４）。
【００８２】
次に、制御部５０は、上述のステップＳ２０４で鑑別された紙幣について、その結果に基づく処理（集積処理、及び必要に応じて結束処理の制御）を行う（Ｓ２０５）。なお、ここで、紙幣結束整理装置１００が行う処理（制御部５０の制御処理）は、簡易整列集積モードに応じた動作を行うが、詳細については後述する。
【００８３】
次に、制御部５０は、投入部１に投入された紙幣が残っているか否かを確認し（Ｓ２０６）、残っている場合は上述のステップＳ２０４の処理から動作し、残っていない場合（投入紙幣が終了している場合）は、計数及び結束処理を停止する（Ｓ２０７）。
【００８４】
次に、上述のステップＳ２０５で、制御部５０が行う紙幣処理の詳細について、図１８のフローチャートを用いて説明する。
【００８５】
まず、制御部５０は、ステップＳ２０４の鑑別結果から新たに取り込んだ紙幣が結束対象の紙幣（ここでは、金種：５０元紙幣、券種：ＡＴＭ券）であるか否かを確認する（Ｓ３０１）。
【００８６】
制御部５０は、新たに取り込んだ紙幣が結束対象の紙幣でない場合は、当該紙幣をリジェクトポケット８に搬送するように制御して（Ｓ３０９）、処理を終了する。
【００８７】
一方、新たに取り込んだ紙幣が結束対象の紙幣である場合、制御部５０は、いずれかの一時集積部６１ｂ〜６１ｅで、集積枚数が９９枚となっている一時集積部６１（あと１枚で結束枚数となる一時集積部６１）の有無を確認する（Ｓ３０２）。
【００８８】
上述のステップＳ３０２で、該当する一時集積部６１があった場合、制御部５０は、該当する一時集積部６１から、下部紙幣Ｍ−Ｄが新たに取り込んだ紙幣と同じ紙幣と同じ紙幣方向となっている一時集積部６１の有無を確認する（Ｓ３０３）。
【００８９】
上述のステップＳ３０３で、該当する一時集積部６１が検出された場合、制御部５０は、集積機構６を制御して、検出した一時集積部６１に、新たに取り込んだ紙幣を集積し、さらに、移送機構９及び紙幣結束機構１０を制御して、当該一時集積部６１に集積された１００枚の紙幣を結束する処理を開始させる（Ｓ３０４）。
【００９０】
そして、制御部５０は、ステップＳ３０４の処理内容の反映、及び、紙幣を移送中の一時集積部６１に対応する紙幣方向の紙幣の集積先を別途割当てるように、一時集積部設定情報５２１及び計数状況表示画面を更新して（Ｓ３０５）、処理を終了する。具体的には、制御部５０は、ステップＳ３０３で検出した一時集積部６１（現在紙幣を移送中の一時集積部６１）について、割当を解除するように一時集積部設定情報５２１を更新（該当する集積先ＩＤの金種、券種及び紙幣方向の情報を削除）し、さらに、解除した金種、券種及び紙幣方向の組合せについて別の一時集積部６１を割当てる（削除した金種、券種及び紙幣方向の情報を空いている集積先ＩＤの行にコピー）する処理を行う。
【００９１】
なお、ステップＳ３０５の処理中又は処理後であっても、制御部５０は、上述のステップＳ３０４で開始した紙幣の搬送、移送、結束に係る処理は終了するまで継続する。
【００９２】
一方、上述のステップＳ３０２、又は上述のステップＳ３０３で、該当する一時集積部６１が検出できない場合、制御部５０は、集積枚数が１枚〜９８枚となっている一時集積部６１（紙幣を集積途中の一時集積部６１）の有無を確認する（Ｓ３０６）。
【００９３】
上述のステップＳ３０６で、該当する一時集積部６１が検出された場合、制御部５０は、集積機構６を制御して、当該一時集積部６１（検出した任意の一時集積部６１のうち任意のもの）に、新たに取り込んだ紙幣を集積すると共に、計数状況表示画面を更新（端数枚数のインクリメント）して（Ｓ３０７）、処理を終了する。
【００９４】
一方、上述のステップＳ３０６で、該当する一時集積部６１が検出されなかった場合、制御部５０は、集積機構６を制御して、新たに取り込んだ紙幣を、当該紙幣の紙幣方向に応じた一時集積部６１に集積するように集積機構６を制御すると共に、計数状況表示画面を更新（端数枚数のインクリメント）して（Ｓ３０８）、処理を終了する。
【００９５】
次に、紙幣結束整理装置１００（制御部５０）が、簡易整列集積モードで、上述の図１６、図１８のフローチャートに従って動作した場合の具体的な動作（計数状況表示画面の遷移）について図１９〜図２４を用いて説明する。
【００９６】
図１９〜図２３は、計数状況表示画面の遷移について示した説明図である。また、図２４は、一時集積部設定情報５２１の遷移について示した説明図である。
【００９７】
まず、紙幣結束整理装置１００において、計数状況表示画面が図１７に示す状態（まだ紙幣が一枚も集積されてない状態）で、紙幣が投入口１に投入され、紙幣の処理（鑑別及び結束の処理）が開始されたものとする。
【００９８】
最初に投入口１で、紙幣方向がＡ方向（表正立）の１枚の紙幣が取り込まれると、制御部５０は、上述のステップＳ３０８の処理により、当該紙幣を一時集積部６１ｅに集積し、計数状況表示画面を図１９のように更新（集積先ＩＤ５に対応する端数枚数をインクリメント）する。
【００９９】
次に、紙幣結束整理装置１００において、さらに９８枚の紙幣が取り込まれたものとする。この場合、紙幣結束整理装置１００は、上述ステップＳ３０７処理により、それらの紙幣を紙幣方向に関わらず一時集積部６１ｅに集積し、計数状況表示画面を図２０のように更新する（集積先ＩＤ５に対応する端数枚数を加算して９９とする）。
【０１００】
次に、紙幣結束整理装置１００において、紙幣方向がＢ方向（表倒立）の紙幣が取り込まれると、制御部５０は、上述のステップＳ３０８の処理により、当該紙幣を、Ｂ方向（表倒立）に対応する一時集積部６１ｄに集積し、計数状況表示画面を図２１のように更新（集積先ＩＤ４に対応する端数枚数をインクリメント）する。
【０１０１】
次に、紙幣結束整理装置１００において、紙幣方向がＡ方向（表正立）以外の方向（Ｂ方向、Ｃ方向、又はＤ方向のいずれか）の紙幣が９枚取り込まれると、制御部５０は、上述のステップＳ３０７の処理により、それらの紙幣を、集積途中の一時集積部６１ｄに集積し、計数状況表示画面を図２２のように更新（集積先ＩＤ４に対応する端数枚数を加算）する。
【０１０２】
次に、紙幣結束整理装置１００において、紙幣方向がＡ方向（表正立）の紙幣が１枚取り込まれると、制御部５０は、上述のステップＳ３０４の処理により、新たに取り込まれた紙幣を、一時集積部６１ｅに集積させ、さらに、当該一時集積部６１に集積された１００枚の紙幣（簡易整列された紙幣）を結束する処理を開始させる。
【０１０３】
さらに、制御部５０は、上述のステップＳ３０５の処理により、一時集積部設定情報５２１及び計数状況表示画面に対して、ステップＳ３０４の処理結果を反映する処理、及び、紙幣を移送中の一時集積部６１ｅに対応するＡ方向（表正立）の紙幣の集積先変更を反映する処理を行う。その結果、一時集積部設定情報５２１は、図２４のように更新され、計数状況表示画面は図２３のように更新される。具体的には、このとき、制御部５０は、図２４に示すように、Ａ方向（表正立）に対応する集積先を、一時集積部６１ｅ（集積先ＩＤ：５）から一時集積部６１ａ（集積先ＩＤ：１）に変更する。またこのとき、制御部５０は、図２３に示すように、計数状況表示画面を、更新後の一時集積部設定情報５２１に合わせるように更新（Ａ方向（表正立）に対応する集積先を集積先ＩＤ１に変更）し、さらに端数枚数を０、把束数をインクリメントして１とする。
【０１０４】
以上のような処理により、紙幣結束整理装置１００（制御部５０）は、簡易整列集積モードでの処理を行う。
【０１０５】
次に、紙幣結束整理装置１００が、４方向整列集積モードで動作する場合の処理について説明する。上述の通り、集積モード選択画面で、４方向整列集積モードが選択された場合、紙幣結束整理装置１００（制御部５０）は、４方向整列集積モードで動作する。
【０１０６】
以下では、紙幣結束整理装置１００（制御部５０）が、４方向整列集積モードで動作する場合の動作について、簡易整列集積モードとの差異部分を説明する。
【０１０７】
紙幣結束整理装置１００（制御部５０）が、４方向整列集積モードで、計数及び結束処理を行う場合の全体のフローチャートも、簡易整列集積モードの場合と同様に上述の図１６を用いて説明することができる。紙幣結束整理装置１００（制御部５０）が、４方向整列集積モードで、計数及び結束処理を行う場合、上述のステップＳ２０５で、制御部５０が行う紙幣処理のみが、簡易整列集積モードと異なっている。
【０１０８】
次に、上述のステップＳ２０５で、制御部５０（４方向整列集積モードで動作中）が行う紙幣処理の詳細について、図２５のフローチャートを用いて説明する。なお、ここでは、集積モード以外の設定は、上述の簡易整列集積モードの例と同じであるものとして説明する。
【０１０９】
まず、制御部５０は、ステップＳ２０４の鑑別結果から新たに取り込んだ紙幣が結束対象の紙幣（ここでは、金種：５０元紙幣、券種：ＡＴＭ券）であるか否かを確認する（Ｓ４０１）。
【０１１０】
制御部５０は、新たに取り込んだ紙幣が結束対象の紙幣でない場合は、当該紙幣をリジェクトポケット８に搬送するように制御して（Ｓ４０７）、処理を終了する。
【０１１１】
一方、新たに取り込んだ紙幣が結束対象の紙幣である場合、制御部５０は、一時集積部設定情報５２１の内容にしたがって、当該紙幣を紙幣方向に対応する一時集積部６１に集積する（Ｓ４０２）。
【０１１２】
次に、制御部５０は、上述のステップＳ４０２の集積処理の結果、集積枚数が１００枚（結束枚数）に達した一時集積部６１が発生したか否かを確認する（Ｓ４０３）。
【０１１３】
上述のステップＳ４０３で、集積枚数が１００枚（結束枚数）に達した一時集積部６１が発生したと確認された場合には、制御部５０は、移送機構９及び紙幣結束機構１０を制御して、当該一時集積部６１に集積された１００枚の紙幣を結束する処理を開始させる（Ｓ４０４）。
【０１１４】
そして、制御部５０は、ステップＳ４０４の処理内容の反映、及び、紙幣を移送中の一時集積部６１に対応する紙幣方向の紙幣の集積先を別途割当てるように、一時集積部設定情報５２１及び計数状況表示画面を更新して（Ｓ４０５）、処理を終了する。なお、制御部５０が行うステップＳ４０４、Ｓ４０５の処理は、簡易整列集積モードの場合（上述のステップＳ３０４、Ｓ３０５）と同様であるため、詳しい説明は省略する。
【０１１５】
一方、上述のステップＳ４０３で、集積枚数が１００枚（結束枚数）に達した一時集積部６１がないと確認された場合には、制御部５０は、計数状況表示画面を更新（端数枚数のインクリメント）して（Ｓ４０６）、処理を終了する。
【０１１６】
（Ａ−３）第１の実施形態の効果
第１の実施形態によれば、以下のような効果を奏することができる。
【０１１７】
第１の実施形態の紙幣結束整理装置１００では、簡易整列集積モードで動作する場合、簡易整列した紙幣束を生成する。簡易整列した紙幣束は、４方向整列した紙幣束と異なり、上部紙幣Ｍ−Ｕと中間紙幣Ｍ−Ｍ以外の紙幣の方向は限定しない。したがって、紙幣結束整理装置１００では、簡易整列集積モードで動作する場合、投入口１に投入された全ての紙幣処理が終了したときに、４方向整列集積モードで動作する場合と比較して、一時集積部６１ａ〜６１ｅに残っている紙幣の枚数、及び、紙幣が残っている一時集積部６１の数を減らすことができる。投入口１に投入された全ての紙幣処理が終了したときに、紙幣結束整理装置１００内（一時集積部６１ａ〜６１ｅ）に紙幣が残っている場合は、オペレータが手動で取り出して再投入する作業等が必要となるため、残っている紙幣は少ない方が、処理効率が高い。また、簡易整列された紙幣束であっても、外見上は４方向整列された紙幣束と同じである。したがって、紙幣結束整理装置１００で結束された紙幣束を整理・管理する際の利便性は、簡易整列された紙幣束であっても、通常損なわれることはない。
【０１１８】
また、第１の実施形態の紙幣結束整理装置１００では、４方向整列集積モードで動作する場合、少なくとも４つの一時集積部６１を必要とするが、簡易整列集積モードで動作する場合には、最低限２つの一時集積部６１が確保できれば良い（例えば、３つ目の一時集積部６１を必要とする場合には処理を停止する）。紙幣結束整理装置１００が、簡易整列集積モードで動作する場合、実際には、１つ目の一時集積部６１の集積枚数が９９枚となった後、１００枚連続して、１つ目の一時集積部６１の下部紙幣Ｍ−Ｄと異なる紙幣方向の紙幣が投入されない限り、３つ目の一時集積部６１は利用されない。したがって、紙幣結束整理装置１００が、簡易整列集積モードで動作する場合、実際に３つ目の一時集積部６１が利用される確率は、４方向整列集積モードの場合と比較して非常に低くなる。
【０１１９】
さらに、第１の実施形態の紙幣結束整理装置１００では、表裏反転部４を利用せずに、簡易整列された紙幣束を生成するため、表裏反転部４の処理に適さない紙幣が投入された場合でも処理が可能となったり、表裏反転処理を行わない分高速な紙幣処理を行うことができる等の効果を奏する。
【０１２０】
さらにまた、紙幣結束整理装置１００（制御部５０）において、簡易整列集積モードで紙幣を集積する場合でも、４方向整列集積モードと同様に、４方向のそれぞれについて一時集積部６１を確保する構成とすることにより、簡易整列集積モードと４方向整列集積モードとで共通するプログラム資源をより多くすることができるため、制御プログラム（制御部５０）の開発効率を向上させることができる。
【０１２１】
（Ｂ）第２の実施形態
以下、本発明による紙葉類処理装置及び紙幣処理方法を、紙幣結束整理装置に適用した第２の実施形態を、図面を参照しながら説明する。
【０１２２】
（Ｂ−１）第２の実施形態の構成
第２の実施形態の紙幣結束整理装置１００についても、基本的な構成については、第１の実施形態と同様の図面により示すことができる。以下では、第２の実施形態の紙幣結束整理装置１００について、第１の実施形態との差異についてのみ説明する。
【０１２３】
第２の実施形態の紙幣結束整理装置１００（制御部５０）は、集積枚数が９９枚となっている一時集積部６１（あと１枚で結束枚数となる一時集積部６１）が存在する状態で、新たに取り込んだ紙幣の紙幣方向と、当該一時集積部６１の下部紙幣Ｍ−Ｄの紙幣方向とが異なる場合に、オペレータに対して当該下部紙幣Ｍ−Ｄと同じ紙幣方向で紙幣の投入を要求するための出力を行う。制御部５０が、オペレータの所定の紙幣方向（当該下部紙幣Ｍ−Ｄと同じ紙幣方向）での紙幣投入を促すための出力を行う方式については限定されないものであるが、例えば、計数状況表示画面のフィールドＦ３３にその旨のメッセージ表示を行ったり、その旨を促すポップアップ画面を追加表示するようにしてもよい。例えば、制御部５０は、図２６に示すように、計数状況表示画面のフィールドＦ３３に、所定の紙幣方向で紙幣を投入することをオペレータに要求するための出力として、「A方向（表正立）で投入口に１枚紙幣を投入してください。」というメッセージを表示するようにしてもよい。また、例えば、制御部５０は、図２７に示すように、オペレータに所定の紙幣方向で、紙幣を投入することを要求するための出力として、上述のメッセージと共に所定の紙幣方向を示す画面（以下、「紙幣投入要求画面」と呼ぶ）を表示出力（ポップアップ表示）するようにしてもよい。
【０１２４】
（Ｂ−２）第２の実施形態の動作
次に、以上のような構成を有する第２の実施形態の紙幣結束整理装置１００の動作（実施形態の紙葉類処理方法）について説明する。
【０１２５】
第２の実施形態の紙幣結束整理装置１００では、上述のステップＳ２０５で、制御部５０が行う紙幣処理（上述の図１８参照）の詳細が第１の実施形態と異なっている。
【０１２６】
図２８は、第２の実施形態の紙幣結束整理装置１００（制御部５０）が行う紙幣処理の詳細について示したフローチャートであり、第１の実施形態（上述の図１８）と同一ステップの処理については同一のステップ番号（符号）を付している。
【０１２７】
図２８の示すフローチャートでは、ステップＳ５０１が追加されている点で、第１の実施形態（上述の図１８）と異なっている。
【０１２８】
制御部５０は、上述のステップＳ３０３で、該当する一時集積部６１（あと１枚で結束枚数となる一時集積部６１）の下部紙幣Ｍ−Ｄが、新たに取り込んだ紙幣と同じ紙幣方向となっていると確認できない場合は、ステップＳ５０１で、オペレータに所定の紙幣方向（該当する一時集積部６１の下部紙幣Ｍ−Ｄと同じ紙幣方向）で紙幣を投入することを要求する出力を行う。
【０１２９】
なお、上述のステップＳ３０３で複数の一時集積部６１（あと１枚で結束枚数となる一時集積部６１）が検出された場合には、それらの複数の一時集積部６１の下部紙幣Ｍ−Ｄの紙幣方向をオペレータに出力（例えば、図２６、図２７のメッセージ等を併記）するようにしてもよい。また、ステップＳ５０１の処理を行う際に、制御部５０は、一旦計数処理を停止（新たな紙幣の取込み処理の停止）し、オペレータにより計数開始ボタン７ａが再度押下されたときに、上述のステップＳ２０４の処理から再開するようにしてもよい。
【０１３０】
（Ｂ−３）第２の実施形態の効果
第２の実施形態によれば、以下のような効果を奏することができる。
【０１３１】
第２の実施形態では、あと１枚で結束枚数（例えば、１００）となる一時集積部６１が発生した場合に、オペレータに結束枚数の集積枚数となるために必要な紙幣方向を通知するので、第１の実施形態と比較して、より確実に一時集積部６１に簡易整列した結束枚数の紙幣を集積させることができる。
【０１３２】
また、第２の実施形態では、紙幣結束整理装置１００（制御部５０）が、簡易整列集積モードで紙幣を集積する場合、図８に示すように、４方向のそれぞれについて一時集積部６１を確保する処理を行っている。しかし、第２の実施形態では、上述のステップＳ５０１で紙幣結束整理装置１００が処理を停止する場合には、２つ目以降の一時集積部６１を必要としないので、少なくとも１つの一時集積部６１が確保されていれば簡易整列集積モードでの紙幣集積を行うことができる。
【０１３３】
（Ｃ）第３の実施形態
以下、本発明による紙葉類処理装置及び紙幣処理方法を、紙幣結束整理装置に適用した第３の実施形態を、図面を参照しながら説明する。
【０１３４】
（Ｃ−１）第３の実施形態の構成
第３の実施形態の紙幣結束整理装置１００についても、基本的な構成については、第１の実施形態と同様の図面により示すことができる。以下では、第３の実施形態の紙幣結束整理装置１００について、第１の実施形態との差異についてのみ説明する。
【０１３５】
第３の実施形態の制御部５０は、紙幣を集積中の一時集積部６１（１枚以上９９枚未満の紙幣を集積している一時集積部６１）に集積された下部紙幣Ｍ−Ｄと紙幣方向が一致する紙幣が取り込まれた場合に、当該紙幣を所定位置に退避しておき、当該一時集積部６１に集積された紙幣が９９枚になったときに、退避していた紙幣（以下、「退避紙幣」とも呼ぶ）を当該一時集積部６１に集積して、簡易整列された紙幣束を生成する。第３の実施形態の紙幣結束整理装置１００において、退避紙幣を退避する際の収納部（以下、「退避部」と呼ぶ）を確保する構成については限定されないものであるが、例えば、紙幣結束整理装置１００内で空いているスペース（例えば、空き状態の一時集積部６１や、表裏反転部４内のスペース）を利用したり、専用の収納スペースを設けるようにしてもよい。
【０１３６】
（Ｃ−２）第３の実施形態の動作
次に、以上のような構成を有する第３の実施形態の紙幣結束整理装置１００の動作（実施形態の紙葉類処理方法）について説明する。
【０１３７】
第３の実施形態の紙幣結束整理装置１００（制御部５０）では、上述のステップＳ２０５で、制御部５０が行う紙幣処理（上述の図１８参照）の詳細が、図２９、図３０の処理に置き換わっている点で、第１の実施形態と異なっている。
【０１３８】
図２９、図３０のフローチャートでは、第１の実施形態（上述の図１８）と同一ステップの処理については同一のステップ番号（符号）を付している。
【０１３９】
図２９、図３０の示すフローチャートでは、ステップＳ３０７が削除され、ステップＳ６０１〜Ｓ６０７が挿入されている点で第１の実施形態（上述の図１８）と異なっている。
【０１４０】
第３の実施形態において、ステップＳ３０６で、集積枚数が１枚〜９８枚となっている一時集積部６１（紙幣を集積途中の一時集積部６１）が有ると確認された場合、制御部５０は、当該一時集積部６１に対応する退避紙幣の有無（当該一時集積部６１の下部紙幣Ｍ−Ｄと紙幣方向が一致する退避紙幣が退避部に退避されているか否か）を確認する（Ｓ６０１）。制御部５０は、上述のステップＳ６０１で、当該一時集積部６１に対応する退避紙幣が有ると確認された場合後述するステップＳ６０２から動作し、そうでない場合には後述するステップＳ６０５から動作する。
【０１４１】
ステップＳ６０１で当該一時集積部６１に対応する退避紙幣が有ると判定された場合、制御部５０は、集積機構６を制御して、当該一時集積部６１（検出した一時集積部６１のうち任意のもの）に、新たに取り込んだ紙幣を集積すると共に、計数状況表示画面の更新（端数枚数のインクリメント）も行う（Ｓ６０２）。
【０１４２】
次に、制御部５０は、ステップＳ６０２で紙幣の搬送先となった一時集積部６１に集積された紙幣の枚数が９９枚となったか否かを確認する（Ｓ６０３）。当該一時集積部６１に集積された紙幣の枚数が９９枚となった場合、制御部５０は、後述するステップＳ６０４から動作し、そうでない場合（９９枚に満たなかった場合）には今回の処理を終了する。
【０１４３】
上述のステップＳ６０３で、当該一時集積部６１に集積された紙幣の枚数が９９枚になったと確認された場合、制御部５０は、搬送路３等を制御して、上述のステップＳ６０１で検出した退避紙幣を退避部から搬送路３ｄ上に繰り出させて、上述のステップＳ６０２で搬送先となった一時集積部６１に集積させる。さらに、制御部５０は、移送機構９及び紙幣結束機構１０を制御して、当該一時集積部６１に集積された１００枚の紙幣（簡易整列された紙幣束）を結束する処理を開始させる（Ｓ６０４）。そして、制御部５０は、上述のステップＳ３０５の処理に移行して、上述のステップ６０４の処理内容の反映、及び、紙幣を移送中の一時集積部６１に対応する紙幣方向の紙幣の集積先を別途割当てるように、一時集積部設定情報５２１及び計数状況表示画面を更新して、処理を終了する。
【０１４４】
一方上述のステップＳ６０１で、当該一時集積部６１に対応する退避紙幣が無いと判定された場合、制御部５０は、新たに取り込まれた紙幣と、いずれかの一時集積部６１の下部紙幣Ｍ−Ｄとで、紙幣方向が一致するか否かを判定する（Ｓ６０５）。ステップＳ６０２で、最新に取り込まれた紙幣と、いずれかの一時集積部６１の下部紙幣Ｍ−Ｄとで、紙幣方向が一致する場合、制御部５０は、搬送路３等を制御して、当該紙幣を退避部に収納し（Ｓ６０６）処理を終了する。一方、ステップＳ６０５で、最新に取り込まれた紙幣が、いずれの一時集積部６１の下部紙幣Ｍ−Ｄとも一致しない場合、制御部５０は、上述のステップＳ３０６で検出された一時集積部６１のうち任意のものに、新たに取り込んだ紙幣を集積すると共に、計数状況表示画面の更新（端数枚数のインクリメント）も行い（Ｓ６０７）、処理を終了する。
【０１４５】
（Ｃ−３）第３の実施形態の効果
第３の実施形態によれば、以下のような効果を奏することができる。
【０１４６】
第３の実施形態では、紙幣を集積中の一時集積部６１に集積された下部紙幣Ｍ−Ｄと紙幣方向が一致する紙幣が取り込まれた場合に、当該紙幣を退避部に退避し、当該一時集積部６１に紙幣が９９枚（あと１枚で結束枚数に到達する枚数）集積されたときに退避した紙幣を当該一時集積部６１に搬送して積層させている。これにより、第３の実施形態の紙幣結束整理装置１００では、第１の実施形態と比較して、より確実に一時集積部６１に簡易整列した結束枚数の紙幣を集積させることができる。
【０１４７】
（Ｄ）第４の実施形態
以下、本発明による紙葉類処理装置及び紙幣処理方法を、紙幣結束整理装置に適用した第４の実施形態を、図面を参照しながら説明する。
【０１４８】
（Ｄ−１）第４の実施形態の構成
第４の実施形態の紙幣結束整理装置１００についても、基本的な構成については、第１の実施形態と同様の図面により示すことができる。以下では、第４の実施形態の紙幣結束整理装置１００について、第１の実施形態との差異についてのみ説明する。
【０１４９】
第４の実施形態の紙幣結束整理装置１００（制御部５０）は、集積枚数が９９枚となっている一時集積部６１（あと１枚で結束枚数となる一時集積部６１）が有る状態で、当該一時集積部６１の下部紙幣Ｍ−Ｄと表裏及び天地で方向が異なっている紙幣（すなわち、表裏を反転させるだけで方向が一致する紙幣）が取り込まれた場合に、当該紙幣を表裏反転部４で反転させてから、当該一時集積部６１に集積する。
【０１５０】
（Ｄ−２）第４の実施形態の動作
次に、以上のような構成を有する第４の実施形態の紙幣結束整理装置１００の動作（実施形態の紙葉類処理方法）について説明する。
【０１５１】
第４の実施形態の紙幣結束整理装置１００では、上述のステップＳ２０５で、制御部５０が行う紙幣処理（上述の図１８参照）の詳細が第１の実施形態と異なっている。
【０１５２】
図３１は、第４の実施形態の紙幣結束整理装置１００（制御部５０）が行う紙幣処理の詳細について示したフローチャートであり、第１の実施形態（上述の図１８）と同一ステップの処理については同一のステップ番号（符号）を付している。
【０１５３】
図３１の示すフローチャートでは、ステップＳ７０１、Ｓ７０２の処理が追加されている点で、第１の実施形態（上述の図１８）と異なっている。
【０１５４】
第４の実施形態では、上述のステップＳ３０３で、集積枚数が９９枚となっている一時集積部６１の下部紙幣Ｍ−Ｄと、新たに取り込まれた紙幣とで紙幣方向が異なると判定された場合、制御部５０は、最新に取り込まれた紙幣が、当該一時集積部６１の下部紙幣Ｍ−Ｄと表裏及び天地で方向が異なっているか否かを判定する（Ｓ７０１）。
【０１５５】
そして、最新に取り込まれた紙幣が当該一時集積部６１の下部紙幣Ｍ−Ｄと表裏及び天地で方向が異なっている状態の場合には、制御部５０は、当該紙幣を表裏反転部４で反転させてから（Ｓ７０２）、上述のステップＳ３０４の処理に移行して、当該紙幣の当該一時集積部６１への集積等の処理を行う。
【０１５６】
一方、上述のステップＳ７０１で、当該紙幣が当該一時集積部６１の下部紙幣Ｍ−Ｄと表裏又は天地の一方のみが一致している場合には、制御部５０は、上述のステップＳ３０６から動作する。
【０１５７】
（Ｄ−３）第４の実施形態の効果
第４の実施形態によれば、以下のような効果を奏することができる。
【０１５８】
第４の実施形態の紙幣結束整理装置１００（制御部５０）では、集積枚数が９９枚となっている一時集積部６１が有る場合にのみ、表裏反転部４で表裏反転を行うようにしている。これにより、第４の実施形態の紙幣結束整理装置１００では、第１の実施形態と比較して、より確実に一時集積部６１に簡易整列した結束枚数の紙幣を集積させることができる。また、第４の実施形態の紙幣結束整理装置１００では、集積枚数が９９枚となっている一時集積部６１が有る場合にのみ、表裏反転部４を利用するので、表裏反転部４の利用を必要最低限に抑えることができる。
【０１５９】
（Ｅ）第５の実施形態
以下、本発明による紙葉類処理装置及び紙幣処理方法を、紙幣結束整理装置に適用した第５の実施形態を、図面を参照しながら説明する。
【０１６０】
（Ｅ−１）第５の実施形態の構成
第５の実施形態の紙幣結束整理装置１００についても、基本的な構成については、第２の実施形態と同様の図面により示すことができる。以下では、第５の実施形態の紙幣結束整理装置１００について、第２の実施形態との差異についてのみ説明する。
【０１６１】
第５の実施形態の制御部５０は、オペレータに対して所定の指定方向での紙幣投入要求を行う際に、搬送路３を制御して、新たに取り込んだ紙幣をリジェクトポケット８に排出する点で、第２の実施形態と異なっている。なお、このとき紙幣結束整理装置１００が紙幣を排出する排出先（紙葉類排出部）は限定されないものであり、例えば、他のオープンポケットから紙幣を排出するようにしてもよい。
【０１６２】
（Ｅ−２）第５の実施形態の動作
次に、以上のような構成を有する第５の実施形態の紙幣結束整理装置１００の動作（実施形態の紙葉類処理方法）について説明する。
【０１６３】
図３２の示すフローチャートではステップＳ５０１の処理と共にステップＳ８０１が挿入されている点で第２の実施形態（上述の図２８）と異なっている。
【０１６４】
第５の実施形態の制御部５０は、上述のステップＳ５０１の処理（所定の指定方向での紙幣投入要求）と共に、搬送路３を制御して、新たに取り込んだ紙幣をリジェクトポケット８に排出する（Ｓ８０１）。
【０１６５】
（Ｅ−３）第５の実施形態の効果
第５の実施形態によれば、以下のような効果を奏することができる。
【０１６６】
第５の実施形態では、あと１枚で結束枚数（例えば、１００）となる一時集積部６１が発生した場合に、オペレータに結束枚数の集積枚数となるために必要な紙幣方向を通知すると共に、新たに取り込んだ紙幣をリジェクト（リジェクトポケット８に排出）している。これにより、オペレータに所定方向での紙幣の再投入を要求する際に、オペレータの手元に投入可能な紙幣が無い場合でも、容易にオペレータに投入する紙幣を取得させることができる。例えば、オペレータは手元に投入可能な紙幣が無い場合は、紙幣結束整理装置１００内に残っている紙幣を取り出して再投入する必要があるが、新たに取り込んだ紙幣をリジェクトすることにより、オペレータの作業効率を高めることができる。
【０１６７】
（Ｆ）他の実施形態
本発明は、上記の実施形態に限定されるものではなく、以下に例示するような変形実施形態も挙げることができる。
【０１６８】
（Ｆ−１）上記の実施形態では、本発明の紙葉類処理装置を、紙幣結束整理装置に本発明を適用したものを示したが、本発明の紙葉類処理装置が結束対象とする紙葉類は、紙幣に限定されず、小切手、商品券や交通機関のチケット等その他の紙葉類を適用するようにしてもよい。また、上記の実施形態では、本発明の紙葉類処理装置を、紙幣結束整理装置に本発明を適用したものを示したが、紙幣を結束して排出することができるその他の現金処理装置（例えば、現金を管理する現金入出金装置等）にも、本発明の技術思想を適用することができる。
【０１６９】
（Ｆ−２）上記の各実施形態では、紙幣結束整理装置１００（制御部５０）が、簡易整列集積モードで紙幣を集積する場合、図８に示すように、４方向のそれぞれについて一時集積部６１を確保する処理を行っているが、各補する一時集積部６１の数は４つに限定されないものである。上述の通り、簡易整列集積モードでは最低限２つ（第２、第５の実施形態の場合は１つ）の一時集積部６１が確保されていれば良い。ただし、紙幣結束整理装置１００において、４つ未満の一時集積部６１を確保して簡易整列集積モードの集積処理を行う場合には、それぞれの紙幣方向に対して一時集積部６１を割当てることができないため、制御部５０が、各一時集積部６１の下部紙幣Ｍ−Ｄの方向を管理する必要がある。
【符号の説明】
【０１７０】
１００…紙幣結束整理装置、１…投入部、２…鑑別部、３…搬送路、４…表裏反転部、５０…制御部、５１…Ｉ／Ｏインタフェース回路、５１ａ〜５１ｅ…カウンタ、５２…記憶部、５２１…一時集積部設定情報、６…集積機構、６１、６１ａ〜６１ｅ…一時集積部、７…操作部、８…リジェクトポケット、９…移送機構、１０…紙幣結束機構、１１…放出口、１３…操作表示部。
【図１】
2014235659.tif 000003
【図２】
2014235659.tif 000004
【図３】
2014235659.tif 000005
【図４】
2014235659.tif 000006
【図５】
2014235659.tif 000007
【図６】
2014235659.tif 000008
【図７】
2014235659.tif 000009
【図８】
2014235659.tif 000010
【図９】
2014235659.tif 000011
【図１０】
2014235659.tif 000012
【図１１】
2014235659.tif 000013
【図１２】
2014235659.tif 000014
【図１３】
2014235659.tif 000015
【図１４】
2014235659.tif 000016
【図１５】
2014235659.tif 000017
【図１６】
2014235659.tif 000018
【図１７】
2014235659.tif 000019
【図１８】
2014235659.tif 000020
【図１９】
2014235659.tif 000021
【図２０】
2014235659.tif 000022
【図２１】
2014235659.tif 000023
【図２２】
2014235659.tif 000024
【図２３】
2014235659.tif 000025
【図２４】
2014235659.tif 000026
【図２５】
2014235659.tif 000027
【図２６】
2014235659.tif 000028
【図２７】
2014235659.tif 000029
【図２８】
2014235659.tif 000030
【図２９】
2014235659.tif 000031
【図３０】
2014235659.tif 000032
【図３１】
2014235659.tif 000033
【図３２】
2014235659.tif 000034